(57)【要約】【課題】万一可燃性冷媒が漏洩した時に、庫内に可燃性冷媒を閉じ込めて、庫外の着火源に可燃性冷媒を近づけない自動販売機を提供する。【解決手段】庫内に収納された商品を冷却可能に配置され、可燃性冷媒を使用した冷凍サイクルを備え、前記庫内の前面に設けた内扉の商品払出口１０に開閉可能なフラップ１１を有し、前記フラップ１１を閉位置に固定するロック手段１５を備えたものであり、販売待機状態に、ロック手段１５により、フラップ１１が閉位置に固定されるため、可燃性冷媒漏洩時に、ロック手段１５により、フラップ１１が閉位置に固定されるため、庫内に可燃性冷媒を閉じ込め、庫外に漏洩することを防止できる。【選択図】  図１
2004199453.tif 000002
【特許請求の範囲】
【請求項１】
庫内に収納された商品を冷却可能に配置され、可燃性冷媒を使用した冷凍サイクルを備え、前記庫内の前面に設けた内扉の商品払出口に開閉可能なフラップを有し、前記フラップを閉位置に固定するロック手段を設けたことを特徴とする自動販売機。
【請求項２】
ロック手段はフラップに取り付けられた係合孔を有する係合片と、摺動可能な尖塔状の移動桿を備えた機能部材とからなり、前記機能部材の作動により前記移動桿が前記係合片に嵌合することを特徴とする請求項１に記載の自動販売機。
【請求項３】
内扉の商品払出口周縁にガスケットを備えたことを特徴とする請求項１または２に記載の自動販売機。
【請求項４】
庫内に可燃性冷媒の漏洩検知手段を設け、前記漏洩検知手段による漏洩検知時、もしくは販売待機時にフラップを閉位置に固定するロック制御手段を備えたことを特徴とする請求項１から請求項３のいずれか一項に記載の自動販売機。
【請求項５】
庫内に収納された商品を冷却可能に配置され、可燃性冷媒を使用した冷凍サイクルを備え、前記庫内の前面に設けた内扉の商品払出口に開閉可能なフラップを有し、前記内扉の開口部を開閉するシャッターと庫内での可燃性冷媒の漏洩検知を行う漏洩検知手段とを設け、前記漏洩検知手段による漏洩検知時に前記シャッターを閉動作させる駆動制御手段を備えたことを特徴とする自動販売機。
【請求項６】
庫内に収納された商品を冷却可能に配置され、可燃性冷媒を使用した冷凍サイクルを備え、前記庫内の前面に設けた内扉の商品払出口を商品販売毎に開閉するシャッターと庫内での可燃性冷媒の漏洩検知を行う漏洩検知手段とを設け、販売待機時、もしくは漏洩検知時に前記シャッターを閉動作させる駆動制御手段を備えたことを特徴とする自動販売機。
【発明の詳細な説明】
【０００１】
【発明の属する技術分野】
本発明は、商品を冷却する冷凍サイクルの冷媒として可燃性冷媒を使用した自動販売機の内扉の構造に関する。
【０００２】
【従来の技術】
現在、冷凍冷蔵庫，自動販売機，空調機などの冷凍空調機器においては、その冷却システムにオゾン層を破壊しない冷媒として、主にＨＦＣ系冷媒への転換が推進されているが、ＨＦＣ系冷媒の地球温暖化への影響を懸念して、近年、地球温暖化係数の小さい炭化水素冷媒の使用が検討されている。
【０００３】
しかし、炭化水素冷媒を使用した自動販売機では、万一自動販売機の庫内で炭化水素冷媒が漏れた場合には、比重が空気より大きいことから、冷媒は庫内の底部に溜まり、やがて商品取出口から可燃性冷媒が庫外に流出することが考えられる。
【０００４】
従来の自動販売機としては、内扉フラップ部の構成を示したもの（例えば、特許文献１参照）がある。
【０００５】
以下、図面を参照しながら上記従来例の自動販売機について説明する。
【０００６】
図１０は、従来の前扉を開いた状態の自動販売機の全体斜視図である。図１１は同従来の自動販売機下部の縦断面図である。
【０００７】
図１０，図１１において、従来の自動販売機は、断熱筐体としてなるケース本体１、外扉２、ケース本体１の前面を閉塞する内扉３とから構成され、ケース本体１の庫内には商品ラック４、商品搬出シュータ５、庫内を保冷する冷却器６、加熱用ヒータ７、庫内ファン８などが配備されている。また、外扉２には商品取出口９が開口している。
【０００８】
さらに、内扉３には前記シュータ５と商品取出口９との間を連通するように開口した商品払出口１０に商品払出扉としてのフラップ１１が支軸１２に軸支されている。
【０００９】
また、フラップ１１の周囲に磁気的吸着手段（図示せず）を設けている。
【００１０】
このような構成による商品販売動作は周知であり、販売動作により商品ラック４から落下搬出した商品はシュータ５の斜面を転動し、フラップ１１を押し開いて商品取出口９に送出される。また、ホット商品、コールド商品の販売モードに合わせて庫内を冷却器６で冷却、あるいはヒータ７で加熱するようにしている。
【００１１】
一方、前記のように庫内の冷却、加熱手段を備えた断熱構造のキャビネットでは、特に内扉３の部分から庫内に外気熱が侵入したり、逆に庫内の熱が外部に逃げたりするのを抑制するために、次記のような配慮がなされている。すなわち、内扉３の商品払出口１０に設けたフラップ１１は上端を支軸１２に軸支して自重により垂下姿勢に吊り下げ支持されており、フラップ１１が閉じた状態ではその裏面が商品払出口１０の内周縁へ密着し合うように垂直姿勢から若干斜め前方へ傾いた姿勢で支えられている。
【００１２】
また、磁気的吸着手段によって、販売待機状態で内扉に設けたフラップ１１を閉塞位置に吸着保持するようにしている。
【００１３】
【特許文献１】
特開平８−３１５２３７号公報
【００１４】
【発明が解決しようとする課題】
しかしながら、上記従来の構成においては、以下のような欠点があった。まず、自動販売機の庫内では商品ラック４に収納した商品を冷却器６、ヒータ７で冷却、加熱するために、庫内空気をファン８により循環送風させていることから、内扉３に装備したフラップ１１にはファン送風による風圧が加わり、その内外圧力差からフラップ１１が販売待機中に前方へ浮き上がるような力を受ける。このために、フラップ１１が軽量であると前方へ多少浮き上がって庫内空気が庫外へ漏れ出したりして大きな熱損失を引き起こす。
【００１５】
また、炭化水素冷媒等の可燃性冷媒を使用した自動販売機では、庫内で可燃性冷媒の漏洩が発生していると、庫外に可燃性冷媒が漏れ出て、外部着火源により発火する恐れがあり、極めて危険である。
【００１６】
従来例として磁気的吸着手段によって、販売待機状態で内扉に設けたフラップ１１を閉塞位置に吸着保持するような方法で、庫内ファン８の風量程度ではフラップ１１が開かないようにしたものがあるが、人が故意的に手を進入させた場合には、フラップ１１は簡単に開放状態になる。
【００１７】
この時、可燃性冷媒を使用した自動販売機で、冷媒が漏洩していた場合には、仮に火のついた煙草を銜えた顧客が内扉のフラップ１１を磁力に逆らって手で開けると、着火・爆発するという危険性が考えられる。
【００１８】
本発明は、従来の課題を解決するもので、万一可燃性冷媒が漏洩したとしても、庫内に可燃性冷媒を閉じ込めるため、庫外に漏出して発火するのを防止できる自動販売機を提供することを目的とする。
【００１９】
【課題を解決するための手段】
本発明の請求項１に記載の発明は、庫内に収納された商品を冷却可能に配置され、可燃性冷媒を使用した冷凍サイクルを備え、前記庫内の前面に設けた内扉の商品払出口に開閉可能なフラップを有し、前記フラップを閉位置に固定するロック手段を備えたものであり、販売待機状態に、ロック手段により、フラップが閉位置に固定されるため、庫内の冷気、あるいは暖気が風圧でフラップを押し開くことを防ぐことで、庫内の空気を庫外に漏らさないという作用を有する。また、万一可燃性冷媒漏洩した時には、ロック手段により、フラップが閉位置に固定されるため、庫内に可燃性冷媒を閉じ込め、庫外への漏洩を防ぐことで庫外の着火源に漏洩冷媒が近づくことを防ぐ作用を有する。
【００２０】
請求項２に記載の発明は、請求項１に記載の発明において、ロック手段はフラップに取り付けられた係合孔を有する係合片と、摺動可能な尖塔状の移動桿を備えた機能部材とからなり、前記機能部材の作動により前記移動桿が前記係合片に嵌合するものであって、フラップの閉位置が多少ズレてフラップの係合片の係合孔と移動桿との中心が外れていても、移動桿の先端が係合孔の枠内であれば、移動桿の先端は尖塔状となっているため、移動桿の先端が係合孔へガイドする作用を有することから、フラップを閉位置に確実に固定できる。その結果、万一可燃性冷媒が漏洩した時には、顧客が手でフラップを開けようとしても、内側からロックされているため、フラップは開かず、可燃性冷媒が庫外に漏出し、着火源に可燃性冷媒が近づくことを防止することができる。
【００２１】
請求項３に記載の発明は、請求項１または２に記載の発明において、内扉の商品払出口周縁にガスケットを備えたものであって、
ガスケットの柔軟性によってフラップとの密着性が良く、商品払出口周縁の隙間を無くし、空気の漏れを最小限に抑える作用を有する。
【００２２】
請求項４に記載の発明は、請求項１から３のいずれか１項に記載の発明において、庫内に可燃性冷媒の漏洩検知手段を設け、前記漏洩検知手段による漏洩検知時、もしくは販売待機時にフラップを閉位置に固定するロック制御手段を備えたもので、販売時以外は常にロック手段によって、フラップを閉位置に固定されているため、庫内の冷気、あるいは暖気が風圧でフラップを押し開くことを防ぐことで、庫内の空気を庫外に漏らさないという作用を有する。
また、万一可燃性冷媒が漏洩した時には、漏洩検知手段により可燃性冷媒の漏洩を発見し、ロック手段により、フラップが閉位置に固定した状態を継続し販売を中止するため、商品の搬出しないことから、フラップが開くことはなく、庫内に可燃性冷媒を閉じ込め、庫外への漏洩を防ぐことで庫外の着火源に漏洩冷媒が近づくことを防ぐ作用を有する。
【００２３】
請求項５に記載の発明は、庫内に収納された商品を冷却可能に配置され、可燃性冷媒を使用した冷凍サイクルを備え、前記庫内の前面に設けた内扉の商品払出口に開閉可能なフラップを有し、前記内扉の開口部を開閉するシャッターと庫内での可燃性冷媒の漏洩検知を行う漏洩検知手段とを設け、前記漏洩検知手段による漏洩検知時に前記シャッターを閉動作させる駆動制御手段を備えたものであり、可燃性冷媒の漏洩を検知すると、機能部材を駆動してシャッターを閉めるので、フラップを開けてもシャッターが確実に商品払出口を閉じるために、可燃性冷媒が庫外に漏出するのを確実に防止できる。また、シャッターは手動操作で復帰させるまで、内扉の開口部を塞いだ状態を維持するため、着火源となるようなたばこの火などが近づいても、シャッターにより遮断されているため、可燃性冷媒が庫外に漏れて、着火源に発火する危険性を防ぐ作用を有する。
【００２４】
請求項６に記載の発明は、庫内に収納された商品を冷却可能に配置され、可燃性冷媒を使用した冷凍サイクルを備え、前記庫内の前面に設けた内扉の商品払出口を商品販売毎に開閉するシャッターと庫内での可燃性冷媒の漏洩検知を行う漏洩検知手段とを設け、販売待機時、もしくは漏洩検知時に前記シャッターを閉動作させる駆動制御手段を備えたものであり、可燃性冷媒の漏洩を検知すると、上下一対のモータを駆動してシャッターを閉じるので、可燃性冷媒が庫外に漏出するのを確実に防止し、可燃性冷媒が着火源に近づくことを防ぐ作用を有する。またシャッターは、販売動作に合わせて内扉の開口部を開閉するため、従来のフラップが不要となる作用を有する。さらに、可燃性冷媒の漏洩を検知すると、シャッターを閉位置に固定した状態を継続し販売を中止するため、商品の搬出しないことから、フラップが開くことはなく、庫内に可燃性冷媒を閉じ込め、庫外への漏洩を防ぐことで庫外の着火源に漏洩冷媒が近づくことを防ぐ作用を有する。
【００２５】
【発明の実施の形態】
以下本発明の冷却システムの実施の形態について、図面を参照しながら説明する。なお、従来と同一構成については、同一符号を付して詳細な説明を省略する。
【００２６】
（実施の形態１）
図１は、本発明の実施の形態１における自動販売機下部の縦断面図である。
【００２７】
図１において、可燃性冷媒を圧縮して冷凍サイクル内へ吐出する圧縮機１３を備え、内部を可燃性冷媒が流れ蒸発熱（冷熱）で庫内を冷却する冷却器１４を備え、フラップ１１を閉位置に固定するロック手段１５を備えている。
【００２８】
以上のように構成された自動販売機について、以下その動作を説明する。
【００２９】
圧縮機１３より圧縮後吐出された可燃性冷媒は、冷凍サイクル内を通過して冷却器１４へと流れ、蒸発熱（冷熱）で庫内を冷却した後、圧縮機１３に戻る。また、販売待機状態時に、ロック手段１５により、フラップ１１を閉位置に固定する。
【００３０】
この動作により、庫内ファン８の風圧によって商品搬出口９とフラップ１１とのすき間の発生を抑え、また庫外から手を侵入させての悪戯等によるフラップ１１の開放状態を防ぐことができる。
【００３１】
したがって、万一販売待機時に可燃性冷媒が漏洩したとしても、庫内に可燃性冷媒を閉じ込めるため、庫外に漏出して着火源に到達するのを防止することができる。
【００３２】
以上のように本実施の形態の自動販売機は、フラップ１１を閉位置に固定するロック手段１５を備え、販売待機状態に、ロック手段１５により、フラップ１１が閉位置に固定されるため、庫内の冷気、あるいは暖気が風圧でフラップ１１を押し開いて庫外に漏れ出て、消費電力が増大することを防止できる。また、可燃性冷媒漏洩時に、ロック手段１５により、フラップ１１が閉位置に固定されるため、庫内に可燃性冷媒を閉じ込め、庫外に漏出して発火するのを防止できる。
【００３３】
（実施の形態２）
図２は、本発明の実施の形態２における内扉開口部の縦断面図である。なお、実施の形態１と同一構成については、同一符号を付して詳細な説明を省略する。
【００３４】
機能部材１６の移動桿１７は、先端を尖塔状にしている。フラップ１１の下部に取り付けられた係合孔を有する係合片１８を備える。ロック手段１９は、機能部材１６、移動桿１７、係合片１８で構成されている。
【００３５】
ここで図面には機能部材１６はソレノイドを使用したものを記載していますが、モーターを使用しても構成できる。
【００３６】
また、移動桿１７と係合片１８が嵌合する場所は、図面では庫内に設ける仕様となっているが、庫外側に設けることも考えられる。これは庫内側に係合片１８を設けた場合、搬出時に商品が引っかかる等の不具合が発生する可能性があることが考えられる。また庫外からの悪戯に対しては、庫内側に配置することが有効と考えられる。
【００３７】
以上のように構成された自動販売機について、以下その動作を説明する。
【００３８】
販売待機状態、および可燃性冷媒漏洩時に、ロック手段１９を構成している機能部材１６に通電し、機能部材１６の移動桿１７を突出させて、フラップ１１に取り付けられた係合片１８の係合孔に貫通させる。このとき移動桿１７の先端は尖塔状となっているため、係合片１８の係合孔の位置が多少前後にズレても、係合孔に移動桿１７が貫通可能となっている。
【００３９】
以上のように本実施の形態の自動販売機は、移動桿１７を有する機能部材１６と、係合片１８とからロック手段１９を構成しており、販売待機状態に、ロック手段１９により、フラップ１１が閉位置に固定されるため、庫内の冷気、あるいは暖気が風圧でフラップ１１を押し開いて庫外に漏れ出て、消費電力が増大することを防止できる。また、可燃性冷媒漏洩時に、ロック手段１９により、フラップ１１が閉位置に固定されるため、庫内に可燃性冷媒を閉じ込め、庫外に漏出して発火するのを防止できる。さらに、フラップ１１の閉位置が多少ズレても、尖塔状の移動桿１７は、フラップ１１の係合片１８の係合孔に確実に貫通するため、フラップ１１を閉位置に確実に固定できる。さらにまた、可燃性冷媒の漏洩時に、顧客が手でフラップ１１を開けようとしても、内側からロックされているため、フラップ１１は開かず、可燃性冷媒が庫外に漏出するのを防止でき、より安全な自動販売機を提供できる。
【００４０】
（実施の形態３）
図３は、本発明の実施の形態３における内扉開口部の縦断面図である。なお、実施の形態２と同一構成については、同一符号を付して詳細な説明を省略する。
【００４１】
内扉の開口部周縁にガスケット２０を設ける。
【００４２】
以上のように構成された自動販売機について、以下その動作を説明する。
【００４３】
販売待機状態、および可燃性冷媒漏洩時に、ロック手段１９を構成している機能部材１６に通電し、機能部材１６の移動桿１７を突出させて、フラップ１１に取り付けられた係合片１８の係合孔に貫通させる。このとき移動桿１７の先端は尖塔状となっているため、係合片１８の係合孔の位置が多少前後にズレても、係合孔に移動桿１７が貫通可能となっている。また、フラップ１１はガスケット２０に密着した状態で、閉位置に固定される。
【００４４】
以上のように本実施の形態の自動販売機は、内扉の開口部周縁にガスケット２０を備えており、販売待機状態に、ロック手段１９により、フラップ１１が閉位置に固定されるため、庫内の冷気、あるいは暖気が風圧でフラップ１１を押し開いて庫外に漏れ出て、消費電力が増大することを防止できる。また、可燃性冷媒漏洩時に、ロック手段１９により、フラップ１１が閉位置に固定されるため、庫内に可燃性を閉じ込め、庫外に漏出して発火するのを防止できる。さらに、フラップ１１の閉位置が多少ズレても、尖塔状の移動桿１７は、フラップ１１の係合片１８の係合孔に確実に貫通するため、フラップ１１を閉位置に確実に固定できる。さらにまた、可燃性冷媒の漏洩時に、顧客が手でフラップ１１を開けようとしても、内側からロックされているため、フラップ１１は開かず、可燃性冷媒が庫外に漏出するのを防止でき、より安全な自動販売機を提供できる。またさらに、内扉の開口部周縁にガスケット２０を備えるので、庫内気密性が向上する。
【００４５】
（実施の形態４）
図４は、本発明の実施の形態４における内扉開口部の縦断面図である。
【００４６】
図５は、本発明の実施の形態４の要部動作を示すフローチャートである。なお、実施の形態３と同一構成については、同一符号を付して詳細な説明を省略する。
【００４７】
図４において、ロック制御手段２１は、漏洩検知センサー２２の信号に基づいてフラップ１１を閉位置に固定するよう構成される。
【００４８】
以上のように構成された自動販売機について、以下その要部動作を図５のフローチャートを参照して説明する。
【００４９】
まず、ステップ１において、漏洩検知センサー２２により漏洩の有無を検知する。
【００５０】
ステップ２において、“漏洩有り”と判定されると、ステップ３でロック制御手段２１はロック手段１９を動作させ、移動桿１７が係合片１８と嵌合し、フラップ１１を閉位置に固定する。そして、ステップ４において販売を中止する。このとき販売中止の原因である可燃性冷媒の漏洩を警報・表示するようにしてもよい。
【００５１】
また、ステップ２において、“漏洩無し”と判定されると、ステップ５へ進む。ステップ５で販売中でないと判断されると、ステップ６でロック制御手段２１はロック手段１９を動作させ、移動桿１７が係合片１８と嵌合し、フラップ１１を閉位置に固定し、庫内の冷気（暖気）が庫外へ流出するのを防止する。
【００５２】
また、ステップ５で販売中であると判断されると、ステップ７でフラップ１１のロックを解除し、ステップ８で商品を商品取出口へ搬出する。
【００５３】
以上のように本実施の形態の自動販売機は、フラップ１１を閉位置に固定するロック制御手段２１を備えており、販売待機状態に、ロック制御手段２１により、フラップ１１が閉位置に固定されるため、庫内の冷気、あるいは暖気が風圧でフラップを押し開いて庫外に漏れ出て、消費電力が増大することを防止できる。また、可燃性冷媒漏洩時に、ロック制御手段２１により、フラップ１１が閉位置に固定されるため、庫内に可燃性冷媒を閉じ込め、庫外に漏出して発火するのを防止できる。さらに、漏洩検知センサー２２で可燃性冷媒の漏洩を検知すると、フラップ１１を閉位置に固定した状態を継続させるとともに、販売中止とするため、より安全な自動販売機を提供できる。
【００５４】
（実施の形態５）
図６は、本発明の実施の形態５における内扉開口部の縦断面図である。
【００５５】
図７は、本発明の実施の形態５の要部動作を示すフローチャートである。なお、実施の形態１と同一構成については、同一符号を付して詳細な説明を省略する。
【００５６】
図６において、駆動制御手段２３は、漏洩検知センサー２４からの信号に基づいて機能部材２５の移動桿２６を駆動してシャッター２７を閉じるよう構成されている。
【００５７】
以上のように構成された自動販売機について、以下その要部動作を図７のフローチャートを参照して説明する。
【００５８】
まず、ステップ９において、漏洩検知センサー２４により漏洩の有無を検知する。ステップ１０において、“漏洩有り”と判定されると、ステップ１１で駆動制御手段２３により、シャッター２７を閉動作させる。具体的には、機能部材２５の移動桿２６が吸引されてシャッター２７の凹部から移動桿２６が抜け出る。それとほぼ同時に、シャッター２７が、自重により落下して内扉の商品払出口１０を遮断する。そして、ステップ１２で販売を中止する。シャッター２７は商品払出口１０をすき間無く塞ぐことで、庫内を密閉状態とすることができる。
【００５９】
また、ステップ１０において、“漏洩無し”と判定されると、ステップ１３でシャッターを開位置に維持させて、ステップ１４の販売待機状態へと変遷する。
【００６０】
以上のように本実施の形態の自動販売機は、可燃性冷媒の漏洩を検知すると、機能部材２５を駆動してシャッター２７を閉めるので、可燃性冷媒が庫外に漏出するのを確実に防止できる。また、シャッター２７は手動操作で復帰させるまで、内扉の商品払出口１０を塞いだ状態を維持するため、火のついたタバコをくわえた顧客が内扉のフラップ１１を手で開けたとしても、シャッター２７により遮断されているため、着火・爆発の危険性が低く、より安全な自動販売機を提供できる。
【００６１】
（実施の形態６）
図８は、本発明の実施の形態６における内扉開口部の縦断面図である。
【００６２】
図９は、本発明の実施の形態６の要部動作を示すフローチャートである。なお、実施の形態１と同一構成については、同一符号を付して詳細な説明を省略する。
【００６３】
図８において、上下一対のモータ２８ａ，２８ｂは、上下一対のクラッチ２９ａ，２９ｂを介して、上下一対のシャッターを駆動するよう構成されている。駆動制御手段３１は、漏洩検知センサー３２の信号に基づいて上下一対のシャッターを開閉動作させるよう構成されている。
【００６４】
以上のように構成された自動販売機について、以下その要部動作を図９のフローチャートを参照して説明する。
【００６５】
まず、ステップ１５において、漏洩検知センサー３２により漏洩の有無を検知する。ステップ１６において、“漏洩有り”と判定されると、ステップ１７で駆動制御手段３１により上下一対のシャッター３０ａ，３０ｂを閉じる。具体的には、販売動作の高速化のため、シャッター３０ａ，３０ｂを上下一対に設けており、また、シャッター３０ａ，３０ｂが閉合される時に、スリップしてモータ２８ａ，２８ｂに過大な力が加わらないようにするクラッチ２９ａ，２９ｂを設けている。そして、ステップ１８において販売を中止する。このとき販売中止の原因である可燃性冷媒の漏洩を警報・表示するようにしてもよい。
【００６６】
また、ステップ１６において、“漏洩無し”と判定されると、ステップ１９へ進む。ステップ１９で販売中でないと判断されると、駆動制御手段３１により上下一対のシャッター３０ａ，３０ｂを閉じて、庫内の冷気（暖気）が庫外へ流出するのを防止する。また、ステップ１９で販売中であると判断されると、ステップ２１で上下一対のシャッター３０ａ，３０ｂを開動作させて、ステップ２２で商品を商品取出口へ搬出する。
【００６７】
以上のように本実施の形態の自動販売機は、可燃性冷媒の漏洩を検知すると、上下一対のモータ２８ａ，２８ｂを駆動してシャッター３０ａ，３０ｂを閉じるので、可燃性冷媒が庫外に漏出するのを確実に防止できる。また、上下一対のシャッター３０ａ，３０ｂは、販売動作に合わせて内扉の開口部を開閉するため、従来のフラップが不要で、商品詰まりの発生頻度が少ない自動販売機を提供できる。さらに、可燃性冷媒の漏洩を検知すると、シャッター３０ａ，３０ｂを閉位置に固定した状態を継続させるとともに、販売中止とするため、より安全な自動販売機を提供できる。
【００６８】
【発明の効果】
以上説明したように請求項１に記載の発明は、商品払出口に設けたフラップを閉位置に固定するロック手段を備え、販売待機状態に、ロック手段により、フラップが閉位置に固定されるため、庫内の冷気、あるいは暖気が風圧でフラップを押し開いて庫外に漏れ出て、消費電力が増大することを防止できる。また、可燃性冷媒漏洩時に、ロック手段により、フラップが閉位置に固定されるため、庫内に可燃性冷媒を閉じ込め、庫外に漏出して発火するのを防止できる。
【００６９】
また、請求項２に記載の発明は、移動桿を有する機能部材と、係合片とからロック手段を構成しており、販売待機状態に、ロック手段により、フラップが閉位置に固定されるため、庫内の冷気、あるいは暖気が風圧でフラップを押し開いて庫外に漏れ出て、消費電力が増大することを防止できる。また、可燃性冷媒漏洩時に、ロック手段により、フラップが閉位置に固定されるため、庫内に可燃性冷媒を閉じ込め、庫外に漏出して発火するのを防止できる。さらに、フラップの閉位置が多少ズレても、尖塔状の移動桿は、フラップの係合片の係合孔に確実に貫通するため、フラップを閉位置に確実に固定できる。さらにまた、可燃性冷媒の漏洩時に、顧客が手でフラップを開けようとしても、内側からロックされているため、フラップは開かず、可燃性冷媒が庫外に漏出するのを防止でき、より安全な自動販売機を提供できる。
【００７０】
また、請求項３に記載の発明は、内扉の商品払出口周縁にガスケットを備えており、販売待機状態に、ロック手段により、フラップが閉位置に固定されるため、庫内の冷気、あるいは暖気が風圧でフラップを押し開いて庫外に漏れ出て、消費電力が増大することを防止できる。また、可燃性冷媒漏洩時に、ロック手段により、フラップが閉位置に固定されるため、庫内に可燃性を閉じ込め、庫外に漏出して発火するのを防止できる。さらに、フラップの閉位置が多少ズレても、尖塔状の移動桿は、フラップの係合片の係合孔に確実に貫通するため、フラップを閉位置に確実に固定できる。さらにまた、可燃性冷媒の漏洩時に、顧客が手でフラップを開けようとしても、内側からロックされているため、フラップは開かず、可燃性冷媒が庫外に漏出するのを防止でき、より安全な自動販売機を提供できる。またさらに、内扉の商品払出口周縁にガスケットを備えるので、庫内気密性が向上する。
【００７１】
また、請求項４に記載の発明は、フラップを閉位置に固定するロック制御手段を備えており、販売待機状態に、ロック制御手段により、フラップが閉位置に固定されるため、庫内の冷気、あるいは暖気が風圧でフラップを押し開いて庫外に漏れ出て、消費電力が増大することを防止できる。また、可燃性冷媒漏洩時に、ロック制御手段により、フラップが閉位置に固定されるため、庫内に可燃性冷媒を閉じ込め、庫外に漏出して発火するのを防止できる。さらに、可燃性冷媒の漏洩を検知すると、フラップを閉位置に固定した状態を継続させるとともに、販売中止とするため、より安全な自動販売機を提供できる。
【００７２】
また、請求項５に記載の発明は、可燃性冷媒の漏洩を検知すると、機能部材を駆動してシャッターを閉めるので、可燃性冷媒が庫外に漏出するのを確実に防止できる。また、シャッターは手動操作で復帰させるまで、内扉の商品払出口を塞いだ状態を維持するため、火のついたタバコをくわえた顧客が内扉のフラップを手で開けたとしても、シャッターにより遮断されているため、着火・爆発の危険性が低く、より安全な自動販売機を提供できる。
【００７３】
また、請求項６に記載の発明は、可燃性冷媒の漏洩を検知すると、上下一対のモータを駆動してシャッターを閉じるので、可燃性冷媒が庫外に漏出するのを確実に防止できる。また、上下一対のシャッターは、販売動作に合わせて内扉の開口部を開閉するため、従来のフラップが不要で、商品詰まりの発生頻度が少ない自動販売機を提供できる。さらに、可燃性冷媒の漏洩を検知すると、シャッターを閉位置に固定した状態を継続させるとともに、販売中止とするため、より安全な自動販売機を提供できる。
【図面の簡単な説明】
【図１】本発明による自動販売機の実施の形態１における自動販売機下部の縦断面図
【図２】本発明による自動販売機の実施の形態２における内扉開口部の縦断面図
【図３】本発明による自動販売機の実施の形態３における内扉開口部の縦断面図
【図４】本発明による自動販売機の実施の形態４における内扉開口部の縦断面図
【図５】同実施の形態４におけるフローチャート
【図６】本発明による自動販売機の実施の形態５における内扉開口部の縦断面図
【図７】同実施の形態５におけるフローチャート
【図８】本発明による自動販売機の実施の形態６における内扉開口部の縦断面図
【図９】同実施の形態６におけるフローチャート
【図１０】従来の前扉を開いた状態の自動販売機の全体斜視図
【図１１】従来の自動販売機下部の縦断面図
【符号の説明】
３  内扉
１０  商品払出口
１１  フラップ
１５  ロック手段
１６  機能部材
１７  移動桿
１８  係合片
１９  ロック手段
２０  ガスケット
２１  ロック制御手段
２２  漏洩検知センサー
２３  駆動制御手段
２４  漏洩検知センサー
２７  シャッター
３０ａ，３０ｂ  シャッター
３１  駆動制御手段
３２  漏洩検知センサー
【図１】
2004199453.tif 000003
【図２】
2004199453.tif 000004
【図３】
2004199453.tif 000005
【図４】
2004199453.tif 000006
【図５】
2004199453.tif 000007
【図６】
2004199453.tif 000008
【図７】
2004199453.tif 000009
【図８】
2004199453.tif 000010
【図９】
2004199453.tif 000011
【図１０】
2004199453.tif 000012
【図１１】
2004199453.tif 000013